(57)【要約】【課題】本発明は魚釣用リールに関し、仕掛け着底後の速やかな棚取りを可能とした魚釣用リールを提供することを目的とする。【解決手段】リール本体に回転可能に支持されたスプールと、釣糸の繰出しで回転する回転体の回転方向と回転数を検出する回転検出手段と、当該回転検出手段の検出値に基づき糸長を計測して、前記リール本体に装着された表示器に糸長を表示させる糸長計測手段と、前記回転体の回転方向と回転数並びに前記糸長に関して設定された所定条件を記憶した記憶手段と、釣人に巻取り状況を報知する報知手段と、前記回転検出手段と糸長計測手段から得られた検出値と計測値が前記所定条件に達したとき、報知手段を釣糸の単位巻取り長さ毎に作動させる制御手段とを備えたことを特徴とする。【選択図】　　　図２
2004049168.tif 000002
【特許請求の範囲】
【請求項１】
リール本体に回転可能に支持されたスプールと、
釣糸の繰出しで回転する回転体の回転方向と回転数を検出する回転検出手段と、
当該回転検出手段の検出値に基づき糸長を計測して、前記リール本体に装着された表示器に糸長を表示させる糸長計測手段と、
前記回転体の回転方向と回転数並びに前記糸長に関して設定された所定条件を記憶した記憶手段と、
釣人に巻取り状況を報知する報知手段と、
前記回転検出手段と糸長計測手段から得られた検出値と計測値が前記所定条件に達したとき、報知手段を釣糸の単位巻取り長さ毎に作動させる制御手段と、
を備えたことを特徴とする魚釣用リール。
【請求項２】
表示器には、水面からの糸長を表示する糸長表示部と、水底または棚からの糸長を表示する底／棚カラ表示部が隣接配置され、
制御手段は、回転検出手段と糸長計測手段の検出値と計測値が記憶手段の所定条件に達したとき、底／棚カラ表示部をゼロ表示にすることを特徴とする請求項１記載の魚釣用リール。
【請求項３】
所定条件は、仕掛けの着底と見なす条件であることを特徴とする請求項１または請求項２記載の魚釣用リール。
【発明の詳細な説明】
【０００１】
【発明の属する技術分野】
本発明は、釣糸の糸長（釣糸の繰出し量や巻取り量）を計測する糸長計測装置を備えた魚釣用リールに関する。
【０００２】
【従来の技術】
従来、多くの魚釣用リールには、釣糸の繰出しで回転する回転体（例えば、スプール）の回転数の検出値から糸長を計測して、これをリール本体上部の表示器に表示させる糸長計測装置が備えられており、釣人は、当該表示器の表示を基に所定の棚位置に仕掛けを繰り出すことができるようになっている。
【０００３】
ところで、所定の棚位置に仕掛けを繰り出して魚釣りを行う場合の棚取り方法として、水面を基準に仕掛けを所定の水深まで繰り出す方法に加え、魚種によっては水底付近のポイントを狙って棚取りする方法があり、適宜使用されている。
そして、この水底付近のポイントを狙う棚取り方法では、実開平５−９２７３号公報に開示されるようにリール本体上部の表示器に、水面からの糸長値を表示する糸長表示部と水底または棚からの糸長値を表示する底／棚カラ表示部を隣接配置した魚釣用リールが広く使用されており、この魚釣用リールによれば、仕掛けの着底後、ハンドルの巻取り操作で糸フケを取り除いて底取りをし、そして、操作パネル上のリセットスイッチを操作して底／棚カラ表示部の表示値をゼロ表示にした後、当該底／棚カラ表示部の表示を見乍ら釣糸を所定量巻き取ることで水底からの棚取りができることとなる。
【０００４】
【発明が解決しようとする課題】
しかし乍ら、上述した水底位置でのスイッチ操作と視覚による棚取り作業は、揺れる船上で容易に行えないのが実情であった。
また、ハンドル操作で糸フケを取り、スイッチ操作で底／棚カラ表示部をゼロ表示にした後、再度ハンドル操作で釣糸を巻き取って棚取りを開始するまでの間、仕掛けが着底しているが、これらの一連の作業に時間がかかってしまうと、水底が起伏の激しい根の荒い場所の場合、根掛りの危険性が大きくなる。
【０００５】
そして、このような根掛りを回避するには、着底後、素早く巻取り操作しなければならないため、上記魚釣用リールでは棚取りを迅速且つ確実に行えず、魚を確実にヒットできないといった課題が残されていた。
本発明は斯かる実情に鑑み案出されたもので、仕掛け着底後の速やかな棚取りを可能とした魚釣用リールを提供することを目的とする。
【０００６】
【課題を解決するための手段】
斯かる目的を達成するため、請求項１に係る魚釣用リールは、リール本体に回転可能に支持されたスプールと、釣糸の繰出しで回転する回転体の回転方向と回転数を検出する回転検出手段と、当該回転検出手段の検出値に基づき糸長を計測して、前記リール本体に装着された表示器に糸長を表示させる糸長計測手段と、前記回転体の回転方向と回転数並びに前記糸長に関して設定された所定条件を記憶した記憶手段と、釣人に巻取り状況を報知する報知手段と、前記回転検出手段と糸長計測手段から得られた検出値と計測値が前記所定条件に達したとき、報知手段を釣糸の単位巻取り長さ毎に作動させる制御手段とを備えたことを特徴とする。
【０００７】
また、請求項２に係る発明は、請求項１記載の魚釣用リールに於て、表示器には、水面からの糸長を表示する糸長表示部と、水底または棚からの糸長を表示する底／棚カラ表示部が隣接配置され、制御手段は、回転検出手段と糸長計測手段の検出値と計測値が記憶手段の所定条件に達したとき、底／棚カラ表示部をゼロ表示にすることを特徴とする。
【０００８】
そして、請求項３に係る発明は、請求項１または請求項２記載の魚釣用リールに於て、所定条件は、仕掛けの着底と見なす条件であることを特徴とする。
【０００９】
（作用）
各請求項に係る魚釣用リールによれば、制御手段は、回転検出手段と糸長計測手段から得られた検出値と計測値が所定条件に達すると、報知手段を釣糸の単位巻取り長さ毎に作動させることとなる。
【００１０】
そして、請求項２に係る発明によれば、制御手段は、回転検出手段と糸長計測手段の検出値と計測値が記憶手段の所定条件に達したとき、表示器の底／棚カラ表示部をゼロ表示する。
【００１１】
【発明の実施の形態】
以下、本発明の実施形態を図面に基づいて詳細に説明する。
【００１２】
図１は請求項１乃至請求項３の一実施形態に係る魚釣用リールを示し、図に於て、１はスプール軸３を介してリール本体５の側板７，９間に回転可能に支持されたスプール、１１は側板９の側部に装着されたハンドルで、当該ハンドル１１とスプール１との間に、ドライブギヤ１３とピニオンギヤ１５等からなる従来周知の動力伝達機構１７やクラッチ機構１９が装着されている。
【００１３】
そして、側板９の後方には、クラッチ機構１９のクラッチレバー２１が装着されており、当該クラッチレバー２１の操作でクラッチ機構１９がクラッチＯＮ／ＯＦＦに切り換わって、動力伝達機構１７によるスプール１へのハンドル１１の駆動力が伝達／遮断されるようになっている。
また、スプール１の一側面にはマグネット２３が装着されると共に、当該マグネット２３の回転軌跡に対向してリール本体５のフレーム２５に一対のリードスイッチ２７が装着されており、これらはスプール１の回転方向と回転数を検出する回転検出手段２９を構成し、図２に示すように各リードスイッチ２７は、夫々、リール本体５上部の側板７，９間に装着した制御ボックス３１内のマイクロコンピュータ３３に接続されている。
【００１４】
マイクロコンピュータ３３のＲＯＭには、特開平５−１０３５６７号公報で開示された魚釣用リールと同様の糸長計測方法がプログラムされており、マイクロコンピュータ３３のＣＰＵは、リードスイッチ２７から出力されるスプール１の正転，逆転の判定信号を取り込んで釣糸の繰出しか巻取りかを判定すると共に、リードスイッチ２７から取り込むスプール１の回転パルス信号をアップ・ダウンカウンタでカウントして、この計数値を基にＲＯＭに記憶された糸長計算式を演算実行するようになっている。
【００１５】
そして、図１に示すように制御ボックス３１上の操作パネル３５には表示器３７が装着されており、ＣＰＵは演算した糸長計測値を表示駆動回路３９を介して当該表示器３７に表示させるようになっている。
【００１６】
而して、既述した実開平５−９２７３号公報の魚釣用リールと同様、本実施形態に係る魚釣用リール４１も、図３に示すように水面からの釣糸の繰出し量）を表示する糸長表示部３７ａと底／棚カラ表示部３７ｂが表示器３７内に上下に隣接配置されて、上方から同一視可能となっている。
以下、糸長表示部３７ａと底／棚カラ表示部３７ｂの表示動作を説明すると、先ず、図４の如く魚釣用リール４１を装着した竿４３を船４５にセットした後、クラッチレバー２１のクラッチＯＦＦ操作でスプール１をスプールフリー状態にすると、仕掛けに取り付けた重錘の重量で釣糸４７はスプール１から順次繰り出されて竿先から下降し始める。
【００１７】
而して、斯様に釣糸４７が繰り出されると、マイクロコンピュータ３３のＣＰＵは、リードスイッチ２７からの回転パルス信号を基に糸長を演算して、これを糸長表示部３７ａと底／棚カラ表示部３７ｂに表示させるようになっている。
従って、釣糸４７が例えば図４の如く竿先から３．０ｍの水面４９まで繰り出されると、図３に示すように糸長表示部３７ａと底／棚カラ表示部３７ｂに、夫々、「３．０（ｍ）」が表示される。
【００１８】
また、図１に示すように操作パネル３５上には、表示器３７に隣接してリセットスイッチ５１とアラーム（報知手段）５３が装着されており、上述の如く釣糸４７が水面４９まで繰り出された処で釣人がリセットスイッチ５１を操作すると、図５に示すように糸長表示部３７ａの表示値が「０．０（ｍ）」にリセット（ゼロ表示）されるようになっている。
【００１９】
この後、釣人が釣糸４７を更に繰り出せば、ＣＰＵは、リードスイッチ２７からの回転パルス信号を基に糸長を演算してこれを糸長表示部３７ａと底／棚カラ表示部３７ｂに表示していくが、仕掛けが水底５５に達すると釣糸４７の繰出しが停止するため、スプール１の回転が停止してアップ・ダウンカウンタによる計数動作も停止する。この時、水深が１２５．０ｍであるとすると、糸長表示部３７ａと底／棚カラ表示部３７ｂの表示内容は図６に示すようになる。
【００２０】
ところで、既述したように水底付近のポイントを狙う従来の棚取り方法では、仕掛けの着底後、ハンドルの巻取り操作で糸フケを取り除いて底取りをし、操作パネル上のリセットスイッチを操作して底／棚カラ表示部の表示値をゼロ表示にした後、当該底／棚カラ表示部の表示を見乍ら釣糸を所定量巻き取ることで水底からの棚取りを行っていたが、揺れる船上でのスイッチ操作と視覚による棚取り作業は容易でなく、また、ハンドル操作で糸フケを取り、スイッチ操作で底／棚カラ表示部をゼロ表示にした後、再度ハンドル操作で釣糸を巻き取って棚取りを開始するまでの間に根掛りが発生してしまう虞があった。
【００２１】
そこで、本実施形態は斯かる実情に鑑み、マイクロコンピュータ３３のＲＯＭに、自動的に仕掛けの着底と見なす以下の第１の所定条件、
第１の所定条件；「釣糸の繰出し糸長が１０．０ｍ以上で、スプールが巻取り方向に所定回転数（３回転）以上連続して回転したとき」
が予め工場出荷段階で設定，記憶されている。
【００２２】
このため、仕掛けが水底５５に達して釣糸４７の繰出しが停止すると、釣人は糸フケを取り除くためにクラッチレバー２１の操作でスプール１を釣糸巻取り状態に切り換えてハンドル１１を巻取り操作するが、既述した回転検出手段２９の検出値と糸長計測値を基にマイクロコンピュータ３３のＣＰＵは、その検出値と糸長計測値が上記所定条件に達したと判定すると、図７に示すように底／棚カラ表示部３７ｂの表示値を自動的に「０．０（ｍ）」にリセット（ゼロ表示）し、以後、ハンドル１１の巻取り操作に伴い、アラーム駆動回路５７を介してアラーム５３を釣糸４７の単位巻取り長さ毎（本実施形態では、１ｍ毎）に作動させるようになっている。
【００２３】
そして、ＣＰＵは、マイクロコンピュータ３３に内蔵したタイマの計時値から、予め設定した時間（例えば、２０秒）が経過すると、アラーム５３の作動を停止させるようになっている。
従って、図４に示すように棚位置Ａが水底５５から１０ｍであるとすると、着底後、釣人はハンドル操作でスプール１を巻取り方向に回転させて釣糸４７を１０ｍ巻き取るが、この棚取りに当たり、糸フケを取るために釣人がスプール１を巻取り方向へ３回転以上連続して回転させると、従来の如きリセットスイッチを操作することなく底／棚カラ表示部３７ｂの表示値が自動的に「０．０（ｍ）」にリセットされ、以後、巻取りに伴いアラーム５３が単位巻取り長さ毎に作動し、釣人はアラーム音に従って棚取りが行え、棚取り後、表示器３７は図８の表示内容となる。
【００２４】
そして、この後、当たりがあって釣糸４７を水面４９まで巻き取ると、表示器３７は図９の表示内容となるが、本実施形態に係る魚釣用リール４１では、更に釣糸４７の巻取りに伴う竿先保護を考慮して、図４に示すように釣糸４７が船べり停止位置Ｂ（本実施形態では水面４９下、２．０ｍ）まで巻き取られた処で、ＣＰＵがアラーム５３を作動させるようになっている。
【００２５】
従って、釣人はアラーム５３の作動で船べり停止位置Ｂまで巻き取ったことを認識できるが、この船べり停止位置Ｂで巻取りが停止したか否か、また、船べり停止後のスプール１の回転方向は、回転検出手段２９の検出によってＣＰＵは判断可能である。
そこで、マイクロコンピュータ３３のＲＯＭには、既述した第１の所定条件に加え、仕掛けの着底と見なす以下の第２の所定条件、
第２の所定条件；「船べり停止後、スプール１が所定（１０ｍ，５０回転）以上繰出し方向へ回転し、所定時間（１０秒）以上経過した状態で、スプールが巻取り方向に３回以上連続して回転したとき」
が予め工場出荷段階で設定，記憶されている。
【００２６】
そして、釣人が船べり停止後、釣糸４７を更に巻き取った際には既述した第１の所定条件が優先するが、船べり停止後、スプール１が繰出し方向へ回転したときには、この第２の所定条件が優先するようになっている。
而して、ＣＰＵは、タイマの計時値と回転検出手段２９の検出値及び糸長計測値がこの第２の所定条件に達したと判定すると、底／棚カラ表示部３７ｂの表示値を自動的に「０．０（ｍ）」にリセットし、以後、アラーム駆動回路５７を介してアラーム５３を釣糸の単位巻取り長さ毎（１ｍ毎）に作動させる。そして、ＣＰＵは予め設定した時間（２０秒）が経過すると、アラーム５３の作動を停止し、以後、船べり停止位置Ｂで釣人が釣糸４７の巻取りを停止しなかったり、船べり停止後、釣糸４７を巻き取った際には第１の所定条件を優先させ、一方、船べり停止後、釣糸４７が繰り出されると第２の所定条件を優先させるようになっている。
【００２７】
本実施形態はこのように構成されているから、実釣開始によって釣人が釣糸４７をスプール１から繰り出せば、ＣＰＵは、リードスイッチ２７から取り込むスプール１の回転パルス信号を基に糸長計測を行って、糸長計測値を糸長表示部３７ａと底／棚カラ表示部３７ｂに表示する。
そして、釣糸４７が図４の如く竿先から３．０ｍの水面４９まで繰り出された処で釣人がリセットスイッチ５１を操作すると、図５に示すように糸長表示部３７ａの表示値が「０．０（ｍ）」にリセットされる。
【００２８】
この後、釣人が釣糸４７を更に繰り出せば、ＣＰＵは、リードスイッチ２７からの回転パルス信号を基に糸長を演算してこれを糸長表示部３７ａと底／棚カラ表示部３７ｂに表示していくが、仕掛けが水底５５に達すると釣糸４７の繰出しが停止するため、スプール１の回転が停止してアップ・ダウンカウンタによる計数動作も停止する。
【００２９】
而して、斯様に仕掛けが水底５５に達して釣糸４７の繰出しが停止すると、釣人は糸フケを取り除くためにハンドル１１を巻取り操作するが、既述したようにＣＰＵは、回転検出手段２９の検出値と糸長計測値が第１の所定条件に達したと判定すると、図７に示すように底／棚カラ表示部３７ｂの表示値を自動的に「０．０（ｍ）」にリセットし、以後、アラーム駆動回路５７を介してアラーム５３を釣糸４７の単位巻取り長さ毎に作動させ、釣人はアラーム音に従って棚取りが行え、棚取り後、表示器３７は図８の表示内容となる。
【００３０】
そして、この後、当たりがあって釣糸４７を水面４９まで巻き取ると、表示器３７は図９の表示内容となる。
また、この巻取りに伴い、釣糸４７が船べり停止位置Ｂまで巻き取られた処で、アラーム５３が作動するが、船べり停止位置Ｂで釣人が釣糸４７の巻取りを停止しなかったり、船べり停止後、釣糸４７を巻き取った際には第１の所定条件が優先していくこととなる。
【００３１】
一方、船べり停止後、スプール１が繰出し方向へ回転したときには、第２の所定条件が優先し、ＣＰＵは、タイマの計時値と回転検出手段２９の検出値及び糸長計測値がこの第２の所定条件に達したと判定すると、底／棚カラ表示部３７ｂの表示値を自動的に「０．０（ｍ）」にリセットし、以後、アラーム駆動回路５７を介してアラーム５３を釣糸の単位巻取り長さ毎（１ｍ毎）に作動させる。そして、既述したように船べり停止位置Ｂで釣人が釣糸４７の巻取りを停止しなかったり、船べり停止後、釣糸４７を巻き取った際には第１の所定条件が優先し、船べり停止後、釣糸４７が繰り出されると、第２の所定条件が維持されることとなる。
【００３２】
このように本実施形態は、仕掛けの着底後、自動的に底／棚カラ表示部３７ｂをゼロ表示すると共に、着底後、アラーム５３で確認し乍ら、水底５５からの巻取り量を容易に確認することができるようにしたので、糸フケを取り除いて底取りをした後にリセットスイッチを操作して底／棚カラ表示部の表示値をゼロ表示にするといった従来の余計な操作なしに着底後の棚取りが素早く、且つ揺れる船上で視覚に頼らず容易に行え、この結果、魚をヒットできる確率が著しく向上すると共に、水底５５に仕掛けを置いている時間が短縮できることで、従来に比し根掛りの発生を著しく軽減させることが可能となった。
【００３３】
尚、上記実施形態では、ＲＯＭに第１，第２の所定条件を同時に設定，記憶させたが、何れか一方の所定条件のみをＲＯＭに設定，記憶させてもよい。
また、既述した第１，第２の所定条件に代え、例えば着底とみなす以下の第３の所定条件、
第３の所定条件；「船べり停止位置Ｂ＋所定の繰出し量（Ｘｍ）で、スプールが巻取り方向に所定回転数（３回転）以上連続して回転したとき」
をＲＯＭに設定，記憶させてもよい。
【００３４】
更にまた、図１に示すように操作パネル３５上に棚メモスイッチ５９を装着し、釣糸４７を例えば１１５ｍ繰り出した処で当該棚メモスイッチ５９を操作すると、底／棚カラ表示部３７ｂの表示値が「０．０ｍ」となって、斯かる水深１１５ｍが棚位置としてＲＡＭに記憶可能とすると共に、着底とみなす以下の第４の所定条件、
第４の所定条件；「棚設定値＋所定の繰出し量（Ｘｍ）で、スプールが巻取り方向に所定回転数（３回転）以上連続して回転したとき」
をＲＯＭに設定，記憶させてもよい。
【００３５】
而して、図示しないがこれらの各実施形態によっても、図１の実施形態と同様、所期の目的を達成することが可能である。
そして、図１の実施形態では、報知手段としてアラーム５３を用いたが、例えば、振動，光，声等の報知手段を用いてもよいし、また、本発明は魚釣用電動リールにも適用できることは勿論である。
【００３６】
【発明の効果】
以上述べたように、各請求項に係る魚釣用リールによれば、仕掛けの着底後、糸フケ，底切りを報知手段で確認し乍ら、水底からの巻取り量を容易に把握できるので、従来に比し余計な操作なしに着底後の棚取りが素早く、且つ揺れる船上で視覚に頼らず容易に行え、この結果、魚をヒットできる確率が著しく向上すると共に、水底に仕掛けを置いている時間が短縮できることで、従来に比し根掛りの発生を著しく軽減させることが可能となった。
【００３７】
また、請求項２に係る発明によれば、所定条件に合致した処で自動的に底／棚カラ表示部をゼロ表示するように構成したので、糸フケを取り除いて底取りをした後にリセットスイッチを操作して底／棚カラ表示部の表示値をゼロ表示にするといった従来の操作が不要となる利点を有する。
【図面の簡単な説明】
【図１】請求項１乃至請求項３の一実施形態に係る魚釣用リールの平面図である。
【図２】図１に示す魚釣用リールの制御ブロック図である。
【図３】糸長表示部と底／棚カラ表示部の表示内容の説明図である。
【図４】釣糸と水底との関係を示す説明図である。
【図５】糸長表示部と底／棚カラ表示部の表示内容の説明図である。
【図６】糸長表示部と底／棚カラ表示部の表示内容の説明図である。
【図７】糸長表示部と底／棚カラ表示部の表示内容の説明図である。
【図８】糸長表示部と底／棚カラ表示部の表示内容の説明図である。
【図９】糸長表示部と底／棚カラ表示部の表示内容の説明図である。
【符号の説明】
１　スプール
３　スプール軸
５　リール本体
１１　ハンドル
１７　動力伝達機構８
１９　クラッチ機構
２１　クラッチレバー
２９　回転検出手段
３１　制御ボックス
３３　マイクロコンピュータ
３５　操作パネル
３７　表示器
３７ａ　糸長表示部
３７ｂ　　底／棚カラ表示部
４１　魚釣用リール
４７　釣糸
４９　水面
５１　リセットスイッチ
５３　アラーム
５５　水底
５９　棚メモスイッチ
【図１】
2004049168.tif 000003
【図２】
2004049168.tif 000004
【図３】
2004049168.tif 000005
【図４】
2004049168.tif 000006
【図５】
2004049168.tif 000007
【図６】
2004049168.tif 000008
【図７】
2004049168.tif 000009
【図８】
2004049168.tif 000010
【図９】
2004049168.tif 000011